(57)【要約】【課題】雌雄一組の面ファスナーテープなどの噛合手段を用いる必要がなく、簡単な構成で封口できるようにした小物収納袋を提供する。【解決手段】合成樹脂フィルムを材料に用いて作られた２枚のシートを重ね上下方向に立てた状態においてほぼ下半分に小物収納袋部２が形成され、この小物収納袋部２の上端から前記２枚のシートが延びて蓋片３が連設されて、上端を除く下端部および左右両側部がヒートシールにて接合されてなり、小物収納袋部２の上端近傍における背面部の外面で両端がヒートシールにて接合された帯状の支持片５が装着されており、蓋片３は小物収納袋部２の上端から延びる折り曲げ部６と、折り曲げ部６から上側に延び小物収納袋部２の外面と支持片５との間に差し込まれる差し込み部７とからなり、左右両側部において折り曲げ部６の上端と差し込み部７の下端とで形成される隅部近傍には支持片５に下側より係止する係止凹部８が形成されている。【選択図】図３
2010111393.tif 000002
【特許請求の範囲】
【請求項１】
合成樹脂フィルムを材料に用いて作られた２枚のシートを重ね上下方向に立てた状態においてほぼ下半分に小物収納袋部が形成され、この小物収納袋部の上端から前記２枚のシートが延びて蓋片が連設されて、少なくとも上端を除く下端部および左右両側部がヒートシールにて接合されてなり、小物収納袋部の上端近傍における前面部もしくは背面部の外面で小物収納袋部の左右両側部に両端がヒートシールにて接合された合成樹脂フィルムからなる帯状の支持片が装着されており、前記蓋片は小物収納袋部の上端から延びて上下方向の途中までが左右両側部が上窄まり状に傾斜するように形成された折り曲げ部と、この折り曲げ部から上側に延び小物収納袋部の外面と支持片との間に差し込まれる差し込み部とからなり、この差し込み部の下端は折り曲げ部の上端よりも左右両側間の幅が広くなるように折り曲げ部の上端から左右に突出するように形成されており、左右両側部において折り曲げ部の上端と差し込み部の下端とで形成される隅部近傍には、小物収納袋部の外面と支持片との間に差し込まれた差し込み部が支持片から抜け出ないように支持片に下側より係止する係止部が形成されていることを特徴とする小物収納袋。
【請求項２】
支持片に下側より係止する係止部として、小物収納袋の左右両側部において折り曲げ部の上端と差し込み部の下端とで形成される隅部に支持片に下側より係止する係止凹部が形成されていることを特徴とする請求項１記載の小物収納袋。
【請求項３】
支持片に下側より係止する係止部として、小物収納袋の左右両側部において差し込み部の下端両側に三角形状の折り曲げ片を形成するようにしたことを特徴とする請求項１記載の小物収納袋。
【発明の詳細な説明】
【技術分野】
【０００１】
本発明は、例えば調味料などの粉体や飴などの菓子類などを収納し、食べ残った物をそのまま蓋をして保存できるようにした小物収納袋に関するものである。
【背景技術】
【０００２】
従来のこの種小物収納袋としては、例えば特許文献１に開示されているように、熱可塑性合成繊維製不織布または透明軟質フイルムを材質とする袋体部および開口部からなる袋であって、雌雄一組の面ファスナーテープを、開口部の封口用舌片部および袋体部の該封口用舌片部に対向する袋体部の開口縁に固定してなるものが知られている。
【０００３】
この小物収納袋には、メガネ、携帯電話、口紅、コンパクトなどの各種小物類が収納され、雌雄の面ファスナーテープ同士を噛合させて開口部を封口することにより鞄などに入れて持ち歩くのに便利である。また、家庭などで調味料などの粉体を入れておくのにも便利である。
【特許文献１】特開２００２−２４０８３５号公報
【発明の開示】
【発明が解決しようとする課題】
【０００４】
しかしながら、上記従来の小物収納袋の構成では、開口部を封口するために雌雄一組の面ファスナーテープを開口部の封口用舌片部および袋体部の該封口用舌片部に対向する袋体部の開口縁に固定する必要があり、雌雄一組の面ファスナーテープを用意し、この面ファスナーテープを袋に装着固定しなければならないことから、コストアップになるという問題があった。
【０００５】
本発明の目的は、このような課題を解決するものであり、雌雄一組の面ファスナーテープなどの噛合手段を用いる必要がなく、簡単な構成で封口できるようにした小物収納袋を提供することにある。
【課題を解決するための手段】
【０００６】
本発明の請求項１に記載の小物収納袋は、合成樹脂フィルムを材料に用いて作られた２枚のシートを重ね上下方向に立てた状態においてほぼ下半分に小物収納袋部が形成され、この小物収納袋部の上端から前記２枚のシートが延びて蓋片が連設されて、少なくとも上端を除く下端部および左右両側部がヒートシールにて接合されてなり、小物収納袋部の上端近傍における前面部もしくは背面部の外面で小物収納袋部の左右両側部に両端がヒートシールにて接合された合成樹脂フィルムからなる帯状の支持片が装着されており、前記蓋片は小物収納袋部の上端から延びて上下方向の途中までが左右両側部が上窄まり状に傾斜するように形成された折り曲げ部と、この折り曲げ部から上側に延び小物収納袋部の外面と支持片との間に差し込まれる差し込み部とからなり、この差し込み部の下端は折り曲げ部の上端よりも左右両側間の幅が広くなるように折り曲げ部の上端から左右に突出するように形成されており、左右両側部において折り曲げ部の上端と差し込み部の下端とで形成される隅部近傍には、小物収納袋部の外面と支持片との間に差し込まれた差し込み部が支持片から抜け出ないように支持片に下側より係止する係止部が形成されていることを特徴とする。
【０００７】
請求項２に記載の小物収納袋は、支持片に下側より係止する係止部として、小物収納袋の左右両側部において折り曲げ部の上端と差し込み部の下端とで形成される隅部に支持片に下側より係止する係止凹部が形成されていることを特徴とする。
【０００８】
請求項３に記載の小物収納袋は、支持片に下側より係止する係止部として、小物収納袋の左右両側部において差し込み部の下端両側に三角形状の折り曲げ片を形成するようにしたことを特徴とする。
【発明の効果】
【０００９】
以上のように、本発明の小物収納袋は、小物収納袋部の上端から延びる蓋片は折り曲げ部と、この折り曲げ部から上側に延び小物収納袋部の外面と支持片との間に差し込まれる差し込み部とを備え、左右両側部において折り曲げ部の上端と差し込み部の下端とで形成される隅部近傍には、支持片に下側より係止する係止部が形成されているので、小物収納袋部の外面と支持片との間に差し込まれた差し込み部が支持片から抜け出るのを防止することができ、雌雄一組の面ファスナーテープなどの噛合手段を用いる必要がなく、簡単な構成で封口できる安価な小物収納袋を提供することができる。
【発明を実施するための最良の形態】
【００１０】
以下、本発明の実施の形態を、図面に基づき具体的に説明する。
先ず、図１〜図４に示す第１の実施の形態について説明すると、１は上下方向に立てた状態においてほぼ下半分に小物収納袋部２が形成され、この小物収納袋部２の上側に蓋片３が連設されてなる合成樹脂フィルムを材料に用いて作られた小物収納袋である。具体的には、小物収納袋１は合成樹脂フィルムを材料に用いて作られた２枚のシートを重ねて、上端を除く周囲、つまり下端部および左右両側部がヒートシールにて接合されている。４は小物収納袋１を構成する２枚のシートのヒートシール部である。小物収納袋部２の上端近傍における背面部外面で小物収納袋部２の左右両側部に両端がヒートシールにて接合された合成樹脂フィルムからなる帯状の支持片５が装着されている。前記蓋片３は小物収納袋部２の上端から前記２枚のシートが延びて上下方向の途中までが左右両側部が上窄まり状に傾斜するように形成された折り曲げ部６と、この折り曲げ部６から延び小物収納袋部２の背面と支持片５との間に差し込まれる差し込み部７とからなり、差し込み部７の下端は折り曲げ部６の上端よりも左右両側間の幅が広くなるように折り曲げ部６の上端から左右に突出し、この差し込み部７も左右両側部が上窄まり状に傾斜するように形成されている。さらに、小物収納袋１の左右両側部において折り曲げ部６の上端と差し込み部７の下端とで形成される隅部には、小物収納袋部２の背面と支持片５との間に差し込まれた差し込み部７が扁平になる方向に復元する力により支持片５から抜け出ないように支持片５に下側より係止する係止凹部８が形成されている。なお、９は蓋片３の上端の開口部である。
【００１１】
上記構成の小物収納袋１の小物収納袋部２内に蓋片３の上端の開口部９より粉体や固形物の小物１０が収納されるのであるが、小物１０が収納され後で前記蓋片３により小物収納袋部２の上端を閉じるときは折り曲げ部６を折り曲げて差し込み部７を小物収納袋部２の背面と支持片５との間に差し込み、前記係止凹部８を支持片５に下側より係止させれば良い。これにより、小物１０が収納された小物収納袋１を鞄などに入れて持ち歩くことができる。また、小物１０を収納した状態の小物収納袋１を家庭などで保存用として利用することもできる。
【００１２】
次に、図５〜図９に示す第２の実施の形態について説明すると、上記した第１の実施の形態では差し込み部７が支持片５から抜け出ないように小物収納袋１の左右両側部において折り曲げ部６の上端と差し込み部７の下端とで形成される隅部に支持片５に下側より係止する係止凹部８が形成されているが、第２の実施の形態では小物収納袋１の左右両側部において折り曲げ部６の上端と差し込み部７の下端とで形成される隅部に係止凹部８を形成せずに、差し込み部７の下端両側に三角形状の折り曲げ片１１を形成するようにし、差し込み部７を小物収納袋部２の背面と支持片５との間に差し込むことにより、折り曲げ片１１が支持片５に下側より係止するように構成している。１２は折り曲げ片１１の折り曲げ線である。なお、折り曲げ片１１は小物収納袋部２の背面と支持片５との間に差し込む前に図７にも示すように小さな角度で外向きに折り曲げておいても良く、あるいは折り曲げ片１１を小物収納袋部２の背面と支持片５との間に差し込んだ後で折り曲げるようにしても良い。他の構成は前記第１の実施の形態と同様である。
【００１３】
次に、図１０〜図１１に示す第３の実施の形態について説明すると、上記した２つの実施の形態では、小物収納袋１の上端である蓋片３の上端には開口部９が形成されて小物収納袋部２の中に粉体や固形物の小物１０を収納するように構成されているが、第３の実施の形態では第１の実施の形態の構成に加えて、小物収納袋部２の中に始めから粉体や固形物の小物１０を収納し、小物収納袋１の上端である蓋片３の上端をヒートシールにて閉じた状態で店で販売に供するようにしてある。１３は蓋片３の上端のヒートシール部である。
【００１４】
この第３の実施の形態の小物収納袋１は第１の実施の形態と同様に差し込み部６が支持片５から抜け出ないように小物収納袋１の左右両側部において折り曲げ部６の上端と差し込み部７の下端とで形成される隅部に支持片５に下側より係止する係止凹部８が形成されており、小物１０が収納された小物収納袋１を購入した者が家庭などで蓋片３の上端下側を切り開いて小物収納袋１から中身を必要量取り出し、その後折り曲げ部６を折り曲げて差し込み部７を小物収納袋部２の背面と支持片５との間に差し込み、係止凹部８を支持片５に下側より係止させることにより残った小物１０を小物収納袋１で保存しておくことができる。
【００１５】
次に、図１２〜図１３に示す第４の実施の形態について説明すると、この第４の実施の形態では第２の実施の形態の構成に加えて、小物収納袋部２の中に始めから粉体や固形物の小物１０を収納し、小物収納袋１の上端である蓋片３の上端をヒートシール部１３にて閉じた状態で店で販売に供するようにしてある。
【００１６】
この第４の実施の形態の小物収納袋１は第２の実施の形態と同様に差し込み部７が支持片５から抜け出ないように小物収納袋１の左右両側部において差し込み部７の下端両側に三角形状の折り曲げ片１１を形成するようにしてあり、小物１０が収納された小物収納袋１を購入した者が家庭などで蓋片３の上端下側を切り開いて小物収納袋１から中身を必要量取り出し、その後折り曲げ部６を折り曲げて差し込み部７を小物収納袋部２の背面と支持片５との間に差し込み、折り曲げ片１１を支持片５に下側より係止させることにより残った小物１０を小物収納袋１で保存しておくことができる。
【００１７】
以上４つの実施の形態について述べたが、第１の実施の形態の係止凹部８と第２の実施の形態の折り曲げ片１１の両方を１枚の小物収納袋１に備えるようにしても良い。また同様に、第３の実施の形態の係止凹部８と第４の実施の形態の折り曲げ片１１の両方を１枚の小物収納袋１に備えるようにしても良い。また、前記支持片５は小物収納袋部２の上端近傍における前面部外面に装着されていても良い。さらに、上記の各実施の形態では差し込み部７は左右両側部が上窄まり状に傾斜するように形成されているが、必ずしも差し込み部７の左右両側部が上窄まり状に傾斜していなくても良く、差し込み部７が小物収納袋部２の背面と支持片５との間に差し込み可能であれば左右両側部が互いに平行であっても良い。
【図面の簡単な説明】
【００１８】
【図１】本発明の第１の実施の形態における小物収納袋の正面図である。
【図２】同小物収納袋の後方から見た背面図である。
【図３】同小物収納袋に小物を収納し蓋片で上端を閉じた状態を小物収納袋の後方から見た斜視図である。
【図４】図３の要部拡大斜視図である。
【図５】本発明の第２の実施の形態における小物収納袋の正面図である。
【図６】同小物収納袋の後方から見た背面図である。
【図７】同小物収納袋の斜視図である。
【図８】同小物収納袋に小物を収納し蓋片で上端を閉じた状態を小物収納袋の後方から見た斜視図である。
【図９】図７の要部拡大斜視図である。
【図１０】本発明の第３の実施の形態において小物が収納された状態の小物収納袋の斜視図である。
【図１１】同小物収納袋の中に入っている小物を保存すべく蓋片で上端を閉じた状態を小物収納袋の後方から見た斜視図である。
【図１２】本発明の第４の実施の形態において小物が収納された状態の小物収納袋の斜視図である。
【図１３】同小物収納袋の中に入っている小物を保存すべく蓋片で上端を閉じた状態を小物収納袋の後方から見た斜視図である。
【符号の説明】
【００１９】
１    小物収納袋
２    小物収納袋部
３    蓋片
４    ヒートシール部
５    支持片
６    折り曲げ部
７    差し込み部
８    係止凹部
９    開口部
１０    小物
１１    折り曲げ片
１２    折り曲げ線
１３    ヒートシール部
【図１】
2010111393.tif 000003
【図２】
2010111393.tif 000004
【図３】
2010111393.tif 000005
【図４】
2010111393.tif 000006
【図５】
2010111393.tif 000007
【図６】
2010111393.tif 000008
【図７】
2010111393.tif 000009
【図８】
2010111393.tif 000010
【図９】
2010111393.tif 000011
【図１０】
2010111393.tif 000012
【図１１】
2010111393.tif 000013
【図１２】
2010111393.tif 000014
【図１３】
2010111393.tif 000015